(57)【要約】【課題】  医療行為等の妨げとならないコンパクトで、接触による破損の恐れがなく、かつ、ガス供給量が０．２５Ｌ／ｍｉｎから１５Ｌ／ｍｉｎまでの広範囲に亘ってガス流体が流通しているか否かを鋭敏に検知できる流量目安計を提供することを課題とする。【課題を解決するための手段】  本発明に係る流量目安計は、流体の流れを目視確認できる目安計であって、一端から他端に向かって順次段階的に大きくなる複数の異なる内径を有する筒状の透明な目安管と、目安管の内部に配置された球状のフロートと、を有するインジケータを備える流量目安計である。【選択図】図３
2018201848.tif 000002
【特許請求の範囲】
【請求項１】
流体の流れを目視確認できる流量目安計であって、
一端から他端に向かって順次段階的に大きくなる複数の異なる内径を有する筒状の透明な目安管と、前記目安管の内部に配置されたフロートと、を有するインジケータを備える流量目安計。
【請求項２】
前記インジケータを内蔵するインジケータカバーをさらに備える、請求項１に記載の流量目安計。
【請求項３】
前記インジケータカバーは、
流体を供給する供給手段の供給口に脱着可能に装着するフレアが前記インジケータカバーの上部に配置され、
下部に流体の被供給手段を脱着可能に装着するノズルと、前記フレアを貫通する流入口から、前記目安管の前記一端に連結し、前記目安管の前記他端から前記ノズルが貫通する流出口に連結する流体経路を有する請求項2に記載の流量目安計。
【請求項４】
前記インジケータは、前記インジケータカバーの前側面に開口した開口部の内側に配置されている、請求項２又は３に記載の流量目安計。
【請求項５】
前記開口部は、さらに、前記インジケータカバーの両側面に開口している、請求項４に記載の流量目安計。
【発明の詳細な説明】
【技術分野】
【０００１】
本発明は、病室壁面に設けられた医療用ガス供給口に取り付けられ、所定流量のガスを加湿器などの医療器材を介して患者に供給する医療用ガス供給設備に係るガス流体の流量目安計に関するものである。
【背景技術】
【０００２】
病院等の医療現場において、酸素やエアー等のガスが医療用ガスとして用いられ、医療用ガス供給設備により患者に供給されている。
【０００３】
例えば特許文献１には、医療用ガスが、ガス供給源からガス配管を介して各病室の壁に設けられたガス取出口に供給され、病室内のガス取出口からガス流量計、ガス流量調節器、加湿器、及びガス供給管を介して吸入マスクに供給され、吸入マスクより看者が医療用ガスを吸気する医療用ガス供給設備が開示されている。しかしながら、ガス取出口から上方へガス流量計が突出していることから、医療従事者がガス流量計に接触する等、医療行為の妨げになるとともに、ガス流量計を破損してしまう問題があった。
【０００４】
これに対して、特許文献２には、医療行為等の妨げとならないコンパクトで、接触による破損の恐れがない、ガス流量目安計が一体となった医療用ガス供給設備のガス流量調節器が開示されている。しかしながら、ガス流量調節器とガス流体の流量目安計が一体となっていることから、従来問題となっていた医療行為等の妨げとなり、接触による破損の恐れがあった流量目安計のみを交換して既存のガス流量調整器に取り付けることができない。このため、ガス流量調節器も合わせて交換する必要があり、既存のガス流量調節器を利用することができない無駄があった。
【０００５】
一方、特許文献３には、ガス取出口に設けたガス流量調節器の下方に取り付ける、ガス指示計のガス流体が流通する管の内面のテーパ角度が１０．８８度と一般的な流量計の管の内面のテーパ角度０．２５度に比して大きくすることにより管の長さを短くして、従来に比して小型のガス指示計（流量目安計）が開示されている。しかしながら、医療用ガスの供給量は、用途や患者の状態に応じて、ガス流量調節器により、０．２５Ｌ／ｍｉｎから１５Ｌ／ｍｉｎまでの広範囲に亘っているにも拘らず、当該ガス指示計は、ガス流量が１Ｌ／ｍｉｎ以上の流量にしか対応できず、１Ｌ／ｍｉｎ未満の場合には、ガス流体が流通しているか否かを鋭敏に感知することができない問題があった。
【先行技術文献】
【特許文献】
【０００６】
【特許文献１】特開平１０−８２６７１号公報
【特許文献２】実案３２０６２７９号
【特許文献３】特開２００７−４６９７０号
【発明の概要】
【発明が解決しようとする課題】
【０００７】
本発明は、医療行為等の妨げとならないコンパクトで、接触による破損の恐れがなく、かつ、ガス供給量が０．２５Ｌ／ｍｉｎから１５Ｌ／ｍｉｎまでの広範囲に亘ってガス流体が流通しているか否かを鋭敏に検知できる流量目安計を提供することを課題とする。
【課題を解決するための手段】
【０００８】
本発明に係る流量目安計は、流体の流れを目視確認できる目安計であって、
一端から他端に向かって順次段階的に大きくなる複数の異なる内径を有する筒状の透明な目安管と、
目安管の内部に配置された球状のフロートと、を有するインジケータを備える流量目安計である。
【０００９】
本発明に係る流量目安計であれば、目安管の長さを短くしても、ガス供給量が０．２５Ｌ／ｍｉｎから１５Ｌ／ｍｉｎまでの広範囲に亘ってガス流体が流通しているか否かを鋭敏に検知でき、また、医療行為等の妨げとならずコンパクトで、接触による破損の恐れがない。
【００１０】
本発明に係る流量目安計は、インジケータを内蔵するインジケータカバーをさらに備える、流量目安計である。
【００１１】
本流量目安計であれば、より、接触による破損の恐れがない。
【００１２】
本発明に係る流量目安計のインジケータカバーには、
インジケータカバーの上部に、 流体を供給する供給手段の供給口に脱着可能に装着するフレアと、インジケータカバーの下部に流体の被供給手段を脱着可能に装着する排出部と、
フレアに設けた流入口から目安管の一端に連結し、目安管の他端からノズルに設けた流出口に連結する流体経路と、を有する流量目安計である。
【００１３】
本発明に係る流量目安計であれば、インジケータカバーにインジケータおよび配管が内蔵され、コンパクトである。
【００１４】
本発明に係るインジケータは、
インジケータカバーの前側面に開口した開口部の内側に配置されている、流量目安計である。
【００１５】
インジケータが、カバーの前側面に配置されていれば、ガスの流量設定時に手でインジケータを覆い隠すことなく、ガスが流れていることを目視で確認することができる。
【００１６】
本発明に係るガス流量調節器の開口部は、さらに、インジケータカバーの両側面に開口している、ガス流量目安計である。
【００１７】
本発明によれば、インジケータを３方向から視認できる。
【発明の効果】
【００１８】
本発明に係る流量目安計であれば、医療行為等の妨げとならないコンパクトで、接触による破損の恐れがなく、かつ、ガス供給量が０．２５Ｌ／ｍｉｎから１５Ｌ／ｍｉｎまでの広範囲に亘ってガス流体が流通しているか否かを鋭敏に検知できる。
【図面の簡単な説明】
【００１９】
【図１】図１は、本実施形態に係る医療用ガス供給設備の構成を示す外観図である。
【図２】図２は、本実施形態に係る流量目安計の外観図である。
【図３】図３は、本実施形態に係る流量目安計の断面図である。
【図４】図４は、本実施形態に係る流量目安計のフロートの動きを示す、目安管の模式断面図である。
【発明を実施するための形態】
【００２０】
以下、本考案の一実施形態を、説明する。
【００２１】
図１に、本実施形態に係る医療用ガス供給設備１の構成を示す。医療用ガス供給設備１は、ガス供給源（不図示）、酸素供給ボックス３、ガス流量調整器６、流量目安計１０及び加湿器（不図示）からなる。なお、医療用ガスの一例として酸素ガスを示しているが、これに限らず、エアー等のガスであってもよい。
【００２２】
ガス供給源（不図示）は、病室外に配備され、酸素ガスを後述する酸素供給ボックス３に供給する。
【００２３】
酸素供給ボックス３は、病室等の壁面２に取り付けられ、酸素供給源から酸素がガス配管４を介して供給される。酸素供給ボックス３には、上部にガス配管４が設けられ、前面にガス取出口５が設けられている。ガス取出口５にガス流量調節器６のインレットプラグ（不図示）を挿入して、ガス流量調節器６が酸素供給ボックス３に装着されている。
【００２４】
ガス流量調節器６は、ダイヤル式ガス流量調節器であって、酸素ガスの流量を調節する。インレットプラグ（不図示）を介してガス流量調節器６に供給された酸素ガスは、ダイヤル７を手で回転することにより任意の流量に調整され、連結口８から流出する。酸素ガスの流量は、例えば、予め設定された０、０．５、１、１．５、２、２．５、３、４、５、６、１０、１５Ｌ／ｍｉｎの流量のいずれかに選択することができる。なお、流量の設定値は、任意であり、これら以外の流量であってもよい。
【００２５】
図２に、流量目安計１０の外観を示す。図２の（１）は、左側面図であり、（２）は、正面図である。また、図３に、目安計１０のＡ−Ａ断面の断面図を示す。
【００２６】
流量目安計（単に、目安計とも呼ぶ）１０は、インジケータカバー１１、フレア１２、フレアナット１３、及びインジケータ２１からなる。流量目安計１０は、インジケータカバー１１の上部に配置されたフレア１２を介してガス流量調節器６に接続されており、フレアナット１３によりガス流量調節器６の連結口８に固定されている。
【００２７】
インジケータカバー１１は、インジケータ２１及び継手フィルタ２５を内蔵する筐体であり、酸素ガスが流通する流通経路が設けられている。流通経路は、フレア１２を貫通する流入口から、目安管２２の下端部に連結して設けた接続室３５に連結する流入路３３と、目安管２２の上端部から、インジケータカバー２１の下部から突出するノズル１４に設けられた流出口３７に連結する流出路３６からなる。
【００２８】
インジケータ２１は、面積式浮遊型のガス流量のインジケータであり、インジケータカバー１１の前方（壁面２と反対側）に位置し、目安管２２、継手フィルタ２５、及びフロート２３からなる。目安管２２は、透明な円筒状樹脂製管からなり、目安管２２の下部４１、中央部４２、及び上部４３の内径は、それぞれ異なり、順に大きくなっている。また、目安管２２は、内部に封入された球状体のフロート２３を有し、フロート２３の直径は、下部４１の内径よりは大きく、中央部４２の内径よりは小さい。なお、フロート２３の形状は、球状に限られず、目安管２２を流れる流体の量に応じて浮遊すればよく、球状に限られず、例えば、頂点が下向きの円錐形であっても良い。
【００２９】
目安管２２の下部４１と中央部４２の境界、及び、中央部４２と上部４３の境界、それぞれは、下部４１、中央部４２及び上部４３のか内径が異なることから階段状になっているが、その角は、フロート２２が酸素ガスの流量により上下し、繰り返し打ちつけられることから、破損防止のため、角を落として曲面になっている。万が一、角が破損して酸素ガスとともに患者に供給されることを防止するためである。なお、目安管２２の内径の大きさは、３種類に限られず、２種類以上であれば、酸素ガスの流量の範囲に応じて、任意に選択すれば良い。
【００３０】
流量調節器６で流量が調節された酸素ガスは、フレア１２を貫通する流入口３２から流入路３３に供給され、流入路３３が目安管２２に連結する接続室３５に配置された継手フィルタ２５を介して目安管２２の下端から目安管２２に流入する。継手フィルタ２５は、目安管２１に流入する酸素ガス中の異物を除去し、目安管２２が正常に作動するよう異物の侵入を防止している。一方、目安管２２に流入した酸素ガスは、封入されたフロート２３を押し上げ、フロート２３は、押し上げる力とフロート２３の重さとがバランスした位置で止まり、フロート２３が止まった位置で、酸素ガスが流れているかを目視確認することができる。更に、酸素ガスは、目安管２２の上端から、流出路３６へ流出する。
【００３１】
なお、ガス流量のインジケータ３０は、面積式浮遊型に限らず、ガスが流れていることを目視確認できるものであればよい。また、流量調節器６により設定したガス流量が流れていることから、インジケータ２１では酸素ガスが流れていることが確認できればよい。したがって、インジケータ２１でガス流量を測定する必要はなく、一定量以上のガス流量が流れている場合には、目安管２２の上端から目安管２２内に突出して設けられたストッパ２４にフロート２３が当接して止まっていてもよく、目安管２２の長さを短くすることができ、流量目安計１０をコンパクトにすることができる。
【００３２】
図４は、フロート２３の動きを示す、目安管２２の模式断面図である。目安管２３に酸素ガスが流れていないときは、フロート２３は、フロート２３ｂとして示した位置である目安管２２の下部４１と中央部４２の境界部に当接している。フロート２３が目安管２２に連結する接続室３５に配置された継手フィルタ２５に当接していると、継手フィルタ２５の一部をフロート２３が塞ぎ、酸素ガスの流入量を干渉するので好ましくないので、下部４１の長さは、フロート２３が継手フィルタ２５に当接しない長さが確保されていればよい。一方、酸素ガスが流れると、フロート２３ａとして示したように、フロート２３は浮き上がる。目安管２２の中央部４２の内径は、酸素ガスの流量が０．２５Ｌ／ｍｉｎの微量であっても、フロートが押し上げられ、酸素ガスが流れていることを確実に確認することができる太さが選定されている。一方、上部４３の内径は、大量の酸素ガスが流れることができる太さが選定されている。なお、目安管２２の下部４１、中央部４２、及び上部４３それぞれの内径は、酸素ガスの流量に応じて任意に選択すれば良い。
【００３３】
一方、インジケータカバー１１の前面の目安管２２が位置する部分には、開口部１５を有し、インジケータカバー１１に内蔵されている目安管２２を目視することができる。開口部１５は、目安管２２を正面及び両側面の３方向からも目視できるように開口していると、目安管２２内で浮遊するフロート２３の視認性が良好となり、好ましい。
【００３４】
目安管２２から流出した酸素ガスは、流出路３６を経由してノズル１４を貫通する流出口３７から、ノズル１４に連結した被供給手段（不図示）に供給される。被供給手段は、加湿器６（不図示）、ガス供給ホース（不図示）、及び酸素マスク（不図示）からなる。
【００３５】
なお、酸素供給ボックス３より供給された酸素ガスは、ガス流量調節器６により所定のガス流量に調節された後、流量目安計１０を経由して流量目安計１０のノズル１４を介して取り付けられた加湿器６に供給される。加湿器６に供給された酸素ガスは、加湿器６内で加湿された後、ガス供給ホース（不図示）を介して酸素マスク（不図示）に供給され、患者により呼気される。
【産業上の利用可能性】
【００３６】
本発明に係る流量目安計であれば、医療行為等の妨げとならないコンパクトで、接触による破損の恐れがなく、かつ、ガス供給量が０．２５Ｌ／ｍｉｎから１５Ｌ／ｍｉｎまでの広範囲に亘ってガス流体が流通しているか否かを鋭敏に検知できる。
【符号の説明】
【００３７】
１…医療用ガス供給設備
２…壁面
３…酸素供給ボックス
４…ガス配管
５…ガス取出口
６…ガス流量調節器
７…ダイヤル
８…連結口
１０…流量目安計
１１…インジケータカバー
１２…フレア
１３…フレアナット
１４…ノズル
１５…開口部
２１…インジケータ
２２…目安管
２３…フロート
２４…ストッパ
２５…継手フィルタ
３２…流入口
３３…流入路
３５…接続室
３６…流出路
３７…流出口
４１…下部
４２…中央部
４３…上部
【図１】
2018201848.tif 000003
【図２】
2018201848.tif 000004
【図３】
2018201848.tif 000005
【図４】
2018201848.tif 000006
【手続補正書】
【提出日】平成29年9月22日(2017.9.22)
【手続補正１】
【補正対象書類名】特許請求の範囲
【補正対象項目名】請求項１
【補正方法】変更
【補正の内容】
【請求項１】
流体の流れを目視確認できる流量目安計であって、
一端から他端に向かって順次段階的に大きくなる複数の異なる内径を有する筒状に一体成型された全体が透明な目安管と、前記目安管の内部に配置されたフロートと、を有するインジケータを備える流量目安計。
【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
流体の流れを目視確認できる流量目安計であって、
一端から他端に向かって順次段階的に大きくなる複数の異なる内径を有する筒状の透明な目安管と、前記目安管の内部に配置されたフロートと、を有するインジケータを備え、
前記目安管は、前記フロートの直径より小さい内径を有する下部を有し、
前記下部は、前記フロートが、前記目安管の下端に連結して設けた接続室に配置された流体中の異物を除去する継手フィルタに当接しない長さと、前記下部の上端に前記目安管の伸長方向に直角な境界面と、該境界面と前記下部の内面との間に曲面状の角とを有する流量目安計。
【請求項２】
前記インジケータを内蔵するインジケータカバーをさらに備える、請求項１に記載の流量目安計。
【請求項３】
前記インジケータカバーは、
流体を供給する供給手段の供給口に脱着可能に装着するフレアが前記インジケータカバーの上部に配置され、
下部に流体の被供給手段を脱着可能に装着するノズルと、前記フレアを貫通する流入口から、前記目安管の前記一端に連結し、前記目安管の前記他端から前記ノズルが貫通する流出口に連結する流体経路を有する請求項2に記載の流量目安計。
【請求項４】
前記インジケータは、前記インジケータカバーの前側面に開口した開口部の内側に配置されている、請求項２又は３に記載の流量目安計。
【請求項５】
前記開口部は、さらに、前記インジケータカバーの両側面に開口している、請求項４に記載の流量目安計。